(57)【特許請求の範囲】
【請求項１】
伝送用の音楽データ及びその付加情報を伝送する音楽データ情報伝送装置であって、
オリジナルの音楽データに基づきサンプリング周波数を変換して伝送用の音楽データを作成し、前記伝送用の音楽データを再生するためのサンプリング周波数を表す伝送サンプリング周波数情報と前記オリジナルの音楽データのサンプリング周波数を表すオリジナル音楽サンプリング周波数情報を付加情報として伝送する音楽データ情報伝送装置。
【請求項２】
少なくとも８８．２ｋHz、９６ｋHz、１７６．４ｋHz、１９２ｋHzの何れか１つの伝送サンプリング周波数情報を伝送することを特徴とする請求項１に記載の音楽データ情報伝送装置。
【請求項３】
少なくとも８ｋHz、１１．０２５ｋHz、１２ｋHz、１６ｋHz、２２．０５ｋHz、２４ｋHzの何れか１つの伝送サンプリング周波数情報を伝送することを特徴とする請求項１に記載の音楽データ情報伝送装置。
【請求項４】
少なくとも非表示であることを示す伝送サンプリング周波数情報を伝送することを特徴とする請求項１に記載の音楽データ情報伝送装置。
【請求項５】
少なくとも８８．２ｋHz、９６ｋHz、１７６．４ｋHz、１９２ｋHzの何れか１つのオリジナル音楽サンプリング周波数情報を伝送することを特徴とする請求項１に記載の音楽データ情報伝送装置。
【請求項６】
少なくとも８ｋHz、１１．０２５ｋHz、１２ｋHz、１６ｋHz、２２．０５ｋHz、２４ｋHzの何れか１つのオリジナル音楽サンプリング周波数情報を伝送することを特徴とする請求項１に記載の音楽データ情報伝送装置。
【請求項７】
少なくとも非表示であることを示すオリジナル音楽サンプリング周波数情報を伝送することを特徴とする請求項１に記載の音楽データ情報伝送装置。
【請求項８】
オリジナル音楽サンプリング周波数と伝送サンプリング周波数とが等しい場合に、オリジナル音楽サンプリング周波数情報は伝送サンプリング周波数情報と同じ内容とすることを特徴とする請求項１に記載の音楽データ情報伝送装置。
【請求項９】
オリジナル音楽サンプリング周波数と伝送サンプリング周波数とが等しい場合に、オリジナル音楽サンプリング周波数情報は非表示であることを示す内容とすることを特徴とする請求項１に記載の音楽データ情報伝送装置。
【請求項１０】
アップサンプリング、ダウンサンプリングあるいはサンプリング周波数変換などによりオリジナル音楽サンプリング周波数と伝送サンプリング周波数とが異なる場合に、オリジナル音楽サンプリング周波数情報は伝送サンプリング周波数情報とは異なる内容とすることを特徴とする請求項１に記載の音楽データ情報伝送装置。
【請求項１１】
少なくともオリジナル音楽サンプリング周波数情報が伝送サンプリング周波数情報と異なる内容であるかどうかを示す伝送モード情報を付加して伝送することを特徴とする請求項１に記載の音楽データ情報伝送装置。
【請求項１２】
オリジナルの音楽データに基づきサンプリング周波数を変換して作成された伝送用の音楽データ及びその付加情報を受信する音楽データ情報伝送の受信装置であって、
受信した伝送用の音楽データを再生するためのサンプリング周波数を表す伝送サンプリング周波数情報とオリジナルの音楽データのサンプリング周波数を表すオリジナル音楽サンプリング周波数情報に基づいて、その一方あるいは両方を表示する表示手段を備えることを特徴とする音楽データ情報伝送の受信装置。
【請求項１３】
オリジナルの音楽データに基づきサンプリング周波数を変換して作成された伝送用の音楽データ及びその付加情報を受信する音楽データ情報伝送の受信装置であって、
受信した伝送用の音楽データを再生するためのサンプリング周波数を表す伝送サンプリング周波数情報とオリジナルの音楽データのサンプリング周波数を表すオリジナル音楽サンプリング周波数情報との比較をする一致検出手段と、
前記一致検出手段の出力に基づいてミュートあるいは録音一時停止あるいはアラーム表示あるいは次の選択操作を促す表示を行う制御手段とを備えることを特徴とする音楽データ情報伝送の受信装置。
【請求項１４】
オリジナルの音楽データに基づきサンプリング周波数を変換して作成された伝送用の音楽データ及びその付加情報を受信する音楽データ情報伝送の受信装置であって、
受信した伝送用の音楽データを再生するためのサンプリング周波数を表す伝送サンプリング周波数情報とオリジナルの音楽データのサンプリング周波数を表すオリジナル音楽サンプリング周波数情報とが異なる内容であるかを示す伝送モード情報を検出する伝送モード情報検出手段と、
前記伝送モード情報検出手段の出力に基づいてミュートあるいは録音一時停止あるいはアラーム表示あるいは次の選択操作を促す表示を行う制御手段とを備えることを特徴とする音楽データ情報伝送の受信装置。
【請求項１５】
オリジナルの音楽データに基づきサンプリング周波数を変換して作成された伝送用の音楽データ及びその付加情報を受信する音楽データ情報伝送の受信装置であって、
受信した伝送用の音楽データを再生するためのサンプリング周波数を表す伝送サンプリング周波数情報とオリジナルの音楽データのサンプリング周波数を表すオリジナル音楽サンプリング周波数情報との比較をする一致検出手段と、
その結果が異なっていても、伝送モード情報が一致であることを検出した場合、例外処理として前記一致検出手段の情報を優先的に判断条件として採用して制御する制御手段とを備えることを特徴とする音楽データ情報伝送の受信装置。
【請求項１６】
伝送用の音楽データ及びその付加情報を伝送する音楽データ情報伝送方法であって、
オリジナルの音楽データに基づきサンプリング周波数を変換して伝送用の音楽データを作成し、前記伝送用の音楽データを再生するためのサンプリング周波数を表す伝送サンプリング周波数情報と前記オリジナルの音楽データのサンプリング周波数を表すオリジナル音楽サンプリング周波数情報を付加情報として伝送する音楽データ情報伝送方法。
【請求項１７】
少なくとも８８．２ｋHz、９６ｋHz、１７６．４ｋHz、１９２ｋHzの何れか１つの伝送サンプリング周波数情報を伝送することを特徴とする請求項１６に記載の音楽データ情報伝送方法。
【請求項１８】
少なくとも８ｋHz、１１．０２５ｋHz、１２ｋHz、１６ｋHz、２２．０５ｋHz、２４ｋHzの何れか１つの伝送サンプリング周波数情報を伝送することを特徴とする請求項１６に記載の音楽データ情報伝送方法。
【請求項１９】
少なくとも非表示であることを示す伝送サンプリング周波数情報を伝送することを特徴とする請求項１６に記載の音楽データ情報伝送方法。
【請求項２０】
少なくとも８８．２ｋHz、９６ｋHz、１７６．４ｋHz、１９２ｋHzの何れか１つのオリジナル音楽サンプリング周波数情報を伝送することを特徴とする請求項１６に記載の音楽データ情報伝送方法。
【請求項２１】
少なくとも８ｋHz、１１．０２５ｋHz、１２ｋHz、１６ｋHz、２２．０５ｋHz、２４ｋHzの何れか１つのオリジナル音楽サンプリング周波数情報を伝送することを特徴とする請求項１６に記載の音楽データ情報伝送方法。
【請求項２２】
少なくとも非表示であることを示すオリジナル音楽サンプリング周波数情報を伝送することを特徴とする請求項１６に記載の音楽データ情報伝送方法。
【請求項２３】
オリジナル音楽サンプリング周波数と伝送サンプリング周波数とが等しい場合に、オリジナル音楽サンプリング周波数情報は伝送サンプリング周波数情報と同じ内容とすることを特徴とする請求項１６に記載の音楽データ情報伝送方法。
【請求項２４】
オリジナル音楽サンプリング周波数と伝送サンプリング周波数とが等しい場合に、オリジナル音楽サンプリング周波数情報は非表示であることを示す内容とすることを特徴とする請求項１６に記載の音楽データ情報伝送方法。
【請求項２５】
アップサンプリング、ダウンサンプリングあるいはサンプリング周波数変換などによりオリジナル音楽サンプリング周波数と伝送サンプリング周波数とが異なる場合に、オリジナル音楽サンプリング周波数情報は伝送サンプリング周波数情報とは異なる内容とすることを特徴とする請求項１６に記載の音楽データ情報伝送方法。
【請求項２６】
少なくともオリジナル音楽サンプリング周波数情報が伝送サンプリング周波数情報と異なる内容であるかどうかを示す伝送モード情報を付加して伝送することを特徴とする請求項１６に記載の音楽データ情報伝送方法。
【発明の詳細な説明】
【０００１】
【発明の属する技術分野】
本発明は、音楽情報とその音楽データをディジタル伝送する伝送方法及びその装置に関するものである。
【０００２】
【従来の技術】
従来の音楽情報や音楽データをシリアルの信号形態でディジタル伝送する方法としては、ＩＥＣ９５８やＩＥＥＥ１３９４等の国際規格がある。
【０００３】
ＩＥＣ９５８は、２ｃｈのリニアＰＣＭデータを伝送する際に用いられる方式で、ＣＤ（compact disc）やＤＶＤ（digital versatile disc）のディジタルデータ伝送に広く用いられている。サンプリング周波数の情報は、チャンネルステータスを用いて伝送される。図７はＩＥＣ９５８チャンネルステータスの説明図である。サンプリング周波数の情報は、図７に示すようにチャンネル番号に続く８bit〜１１bitを用いて４ビットの情報として伝送される。従来は、受信して再生するサンプリング周波数と伝送するサンプリング周波数とは同一であったので単にサンプリング周波数と呼称していた。本発明では、従来のサンプリング周波数情報は伝送レートに関わるサンプリング周波数を表すことと考えるので、以下、伝送ｆｓ情報と呼称する。これに伴い従来のサンプリング周波数を伝送ｆｓという。また、（表１）に従来の伝送ｆｓ情報と伝送ｆｓの表を示す。これらは現行のＩＥＣ規格で定められているものである。
【０００４】
【表１】
0003954762.tif 000002
【０００５】
また、ＩＥＥＥ１３９４は、ディジタルビデオなどに用いられている方式であり、将来的にはオーディオ、ビデオ信号の伝送に広く使用されると期待されている。ＩＥＣ９５８と同様に、ＩＥＥＥ１３９４では、サンプリング周波数はＦＤＦ（Format Dependent Field）と呼ぶヘッダデータ中のＳＦＣで伝送されていた。（表２）にＩＥＥＥ１３９４における従来の伝送ｆｓ情報（ＳＦＣ）と伝送ｆｓ(kHz)の表を示す。
【０００６】
【表２】
0003954762.tif 000003
【０００７】
【発明が解決しようとする課題】
上記した従来の音楽情報及び音楽データ伝送方法では、伝送された音楽データを単純に再生することを目的としているが、近年のＤＶＤなどでは、サンプリング周波数が９６kHzや最大１９２kHzの周波数が規格として採用され、またＭＰＥＧ４の応用に検討されるＡＡＣ（Advanced Audio Coding）などの圧縮方式では、８kHzや１２kHzといった低いサンプリング周波数の導入が予定されており、単純に伝送されたものを再生するだけでは済まなくなってきた。
【０００８】
図１にデータ伝送を行う場合の機器接続例を示す。図１において、１０は音楽データを伝送する音楽データ送信機器、３０は音楽データを受信する音楽データ受信機器、２０は音楽データ伝送のための音楽データ伝送インタフェースである。
【０００９】
音楽データ送信機器１０は、例えば最新のＤＶＤプレーヤ、音楽データ受信機器３０は、現行の規格に従った機器であるとすると、現行規格で扱えないサンプリング周波数については、音楽データ送信機器１０で何らかの処理をする必要がある。すなわち、現行規格で定められた３２kHz，４４.１kHzまたは４８kHzに変換した後に音楽データ伝送インタフェース２０で伝送する必要があり、ＤＶＤプレーヤ側で、元々のオリジナルな音楽（例えば１９２kHz）をダウンサンプリング処理をして４８kHzに変換して伝送していた。
【００１０】
この場合、オリジナルな音楽のサンプリング周波数（１９２kHz）の情報は、ダウンサンプリングを行うプレーヤでは分かるが、データを受信する外部の機器ではオリジナルな音楽のサンプリング周波数の情報が伝送されないので、分からなくなるという第１の課題があった。このため受信側の機器に高性能で高音質なものを用意しても、送信側の１９２kHz／２４bit／２chの音より低品質になってしまうおそれがある。以上述べたダウンサンプリングの場合の他に、アップサンプリングして送る場合や４８kHzを４４.１kHzにｆｓ変換して伝送する場合にも同様の問題がある。
【００１１】
また、現在は実施されていないが将来的に、同じデータをＲ回（Ｒは２以上の整数）繰り返し伝送を行う場合には、受信機器側でＲ回に１回のデータに間引いてやる必要があるにも拘わらずその情報が伝達されないという第２の課題があった。
【００１２】
また、Ｓ倍（Ｓ＞１の実数）の伝送速度や１／Ｓ倍速で音楽データを伝送する場合、通常の再生レートとは異なるレートでデータが蓄積メディアに格納される。一般的には高速ダビングと言われるものである。単にサンプリング周波数が情報として伝送されるが、音楽データ受信機器３０側では、通常とは異なるレートで処理すべきであることを伝送データからは知り得ないという第３の課題があった。
【００１３】
以上述べたように、ｆｓ変換以外にもオリジナルｆｓの信号をＲ回繰り返してＲ倍のレートにして伝送するＲ回繰り返し伝送モード、Ｓ倍速伝送モードなどの可能性があり、これらの場合にも受信側でオリジナルｆｓを知ることが重要であると考えられるが、従来の伝送では、それらのオリジナルな音楽のサンプリング周波数の情報がなく、音楽データ受信機器３０側では知ることが出来なかった。
【００１４】
本発明は、ディジタル音楽伝送における、音楽データのサンプリングに関する情報を同時に伝送することにより、伝送される音楽データに応じた音楽再生または記録蓄積を行うことを可能にするものであり、従来の３つの課題を解決する音楽データ情報伝送方法及び装置の提供を目的とする。
【００１５】
【解決するための手段】
上記問題点を解決するために本発明の第１の発明は、音楽データ及びその付加情報を伝送するデータ伝送情報において、音楽データのオリジナルな音楽のサンプリング周波数を表すオリジナル音楽サンプリング周波数情報（以下、オリジナルｆｓ情報という）を伝送し、受信側で転送された音楽データのオリジナルな音楽のサンプリング周波数がわかるようしたことを特徴とする音楽データ情報伝送方法及び装置としている。
【００１６】
また、本発明の第２の発明は、その伝送データが何れかの信号処理をしたものかを表す伝送モード情報を音楽データ信号に付加した音楽データ送信機器を有し、受信側での適切な処理を確実にすることを特徴とする音楽データ情報伝送方法及び装置としている。
【００１７】
【発明の実施の形態】
以下、本発明の実施の形態としてＩＥＣ９５８およびＩＥＥＥ１３９４の伝送規格を例にとった場合の音楽データ伝送方法および装置について、図面を参照しながら説明する。
【００１８】
図１は、本発明の音楽データ情報伝送装置として用いられる民生用ディジタルオーディオ機器の接続例である。
【００１９】
図１において、音楽データ伝送機器１０として、ＤＶＤプレーヤやセットトップボックス等があげられる。また、音楽データ受信機器３０として、ＡＶアンプやミニディスクまたはデジタルＴＶ等があげられる。音楽データ伝送インタフェース２０は、ＩＥＣ９５８またはＩＥＥＥ１３９４で規定されるインタフェース装置である。
【００２０】
先ずＩＥＣ９５８を用いた音楽データ情報伝送方法及び装置について説明する。
【００２１】
図２は、本発明で使用する付加情報を伝送するために、新たな情報を従来のＩＥＣ９５８に付け加えたチャンネルステータスの構造図である。
【００２２】
図２において、ワードレングス情報に続く３６〜３９bitにオリジナルｆｓ情報（オリジナル音楽サンプリング周波数情報）を４ビット割り当てる。もちろん従来この位置には何も割当の無かった未使用部分である。（表３）にオリジナルｆｓ情報とオリジナルｆｓ(kHz)の内容（その１）を第１の例として示す。
【００２３】
【表３】
0003954762.tif 000004
【００２４】
これらは従来の伝送ｆｓ情報との関連から出来るだけ同じ割当となるよう工夫した。但し”００００”は伝送ｆｓ情報では４４.１kHzだが、オリジナルｆｓ情報では非表示とした。これは従来規格に従う現行の機器で未使用領域は”０”を送信することが義務づけられているので、オリジナルｆｓ情報を送らない現行の機器を非表示とするためである。こうすれば現行の機器と新しい機器との相互接続において互換性の問題を回避できる。４４.１kHzは伝送ｆｓ情報で未使用の”１０００”に割り付けた。これ以外の３２kHzおよび４８kHzについては伝送ｆｓ情報と同じデータ位置に割り付けた。また、（表３）においてＤＶＤなどで新たに追加されたサンプリング周波数の他に将来追加が必要となると予想されるＭＰＥＧ−ＡＡＣなどで使用されるサンプリング周波数についても割り当てた。これにより８kHzから１９２kHzまでのｆｓを表すことができる。これは、３２kHzの１／４から４８kHzの４倍に相当する。
【００２５】
【表４】
0003954762.tif 000005
【００２６】
（表４）にオリジナルｆｓ情報とオリジナルｆｓ(kHz)の内容（その２）を第２の例として示す。（表４）では（表３）と同様に”００００”を非表示とするために従来の伝送ｆｓ情報の負論理を採用した。すなわち４４.１kHzは／”００００”で”１１１１”、４８kHzは／”０１００”で”１０１１”となる。他も同様に負論理表現をして伝送ｆｓ情報と同じ定義となるよう工夫した。一方ｆｓの追加定義は、伝送ｆｓ情報においても有用であるため、新伝送ｆｓ情報を追加規定する方法を（表５）に示す。（表５）において、４４.１kHzと非表示以外はオリジナルｆｓ情報の割り付けと同様とした。
【００２７】
【表５】
0003954762.tif 000006
【００２８】
さらに図２において、３０〜３１bitに伝送モード情報を２ビットで割り当てる。この位置も従来規格では未使用であった領域である。伝送モード情報の内容を（表６）に示す。
【００２９】
【表６】
0003954762.tif 000007
【００３０】
（表６）において”００”は従来規格との互換を保つために従来通りの伝送を示すリアルタイム伝送モードに割り付ける。以下、”０１”をｆｓ変換伝送モード、”１０”をＲ回繰り返し伝送モードおよび”１１”をＳ倍速伝送モードとする。
【００３１】
次に、ＩＥＥＥ１３９４を用いた音楽データ情報伝送方法及び装置について説明する。
【００３２】
ＩＥＥＥ１３９４の場合もＩＥＣ９５８と同様に伝送ｆｓ情報とオリジナルｆｓ情報について従来規格との互換整合性を考慮して新たなサンプリング周波数を規定する。
【００３３】
【表７】
0003954762.tif 000008
【００３４】
【表８】
0003954762.tif 000009
【００３５】
【表９】
0003954762.tif 000010
【００３６】
（表７）は従来のＳＦＣに新たに追加する伝送ｆｓ情報と伝送ｆｓ（kHz）を示す表であり、（表８）は全く新規に追加するオリジナルｆｓ情報とオリジナルｆｓ(kHz）を示す表である。また、（表９）は新たに追加するＳ倍速情報と伝送ｆｓ情報と伝送ｆｓ(kHz）を示す表である。オリジナルｆｓ情報とＳ倍速情報は新規にアンシラリデータを拡張して伝送する。そのため従来は、その情報は存在しなかったので、自在に割り付けられるが、出来るだけ伝送ｆｓ情報との統一性を保つようにした。Ｓ倍速情報は、ＳＦＣだけでは伝送ｆｓ情報の拡張が不十分なのでアンシラリデータを追加して規定する。ＩＥＥＥ１３９４は、高速インタフェースであるため十分な拡張性を有し広範囲の定義が可能なようにした。
【００３７】
【表１０】
0003954762.tif 000011
【００３８】
また、ＩＥＥＥ１３９４の伝送モード情報の内容を（表１０）に示す。（表１０）において、ＦＤＦのＮフラグは、リアルタイムか非リアルタイムかを表すフラグである。アンシラリで新たに規定する伝送モード情報との関係は（表１０）に示す通りである。ＩＥＣ９５８と同様”００”は従来規格との互換を保つために従来通りの伝送を示すリアルタイム伝送モードに割り付ける。以下、”０１”をｆｓ変換伝送モード、”１０”をＲ回繰り返し伝送モードおよび”１１”をＳ倍速伝送モードとする。
【００３９】
図３は、音楽データ送信機器１０において、ｆｓ変換伝送モードの出力装置を実現する際の一構成例を示すブロック図である。
【００４０】
同図中、1001は入力端であり、オリジナルｆｓ信号およびオリジナルｆｓ情報を含む信号を入力する。1002は入力手段であり、ここでオリジナルｆｓ信号とオリジナルｆｓ情報をそれぞれ取り出し、オリジナルｆｓ信号はオーバーサンプリング手段1003へ供給し、オリジナルｆｓ情報はシステム制御部1007へ供給する。
【００４１】
オーバーサンプリング手段1003でオーバーサンプリング処理したデータは1004のＬＰＦ（低域通過フィルタ）で所望の帯域となるよう帯域制限し、再サンプリング手段1005で所望のサンプリング周波数にして伝送ｆｓ信号を取り出す。システム制御部1007は、ｆｓ変換するための所望のパラメータ1008および1009をＬＰＦ1004および再サンプリング手段1005に供給する。伝送ｆｓ信号およびシステム制御部1007が供給する伝送ｆｓ情報、オリジナルｆｓ情報および伝送モード情報は、ＩＥＣ９５８出力手段1006へ入力してＩＥＣ９５８のフォーマットにしてＩＥＣ９５８出力手段1006より音楽データ伝送インタフェース２０に信号を供給する。
【００４２】
再サンプリング手段1005でオリジナルｆｓの１／ｎ（ｎ＞１の実数）にするとダウンサンプリングとなり、ｎ倍にするとアップサンプリングとなる。また近接した周波数でも変換でき一般にｆｓ変換と総称される。ＬＰＦ1004は、少なくともｆｓ変換の前後でより低いｆｓとなる方のナイキスト周波数よりさらに低いカットオフ周波数となるパラメータがシステム制御部1007から設定される。これは折り返し歪みを除去するためである。
【００４３】
図４は、音楽データ送信機器１０において、Ｒ回繰り返し伝送モードの出力装置を実現する際の一構成例を示すブロック図である。
【００４４】
同図中、図３と同様の手段は同番号を付し説明を省略する。オリジナルｆｓ信号は、リピータ手段1024でシステム制御部1007からのＲパラメータ1028に従ってデータの繰り返しを行う。伝送レートをＲ倍（Ｒは２以上の整数）にした伝送ｆｓ信号と、伝送ｆｓ情報、オリジナルｆｓ情報および伝送モード情報は、ＩＥＣ９５８出力手段1006でＩＥＣ９５８のフォーマットにしてＩＥＣ９５８出力手段1006より音楽データ伝送インタフェース２０に信号を供給する。
【００４５】
また、図５は、音楽データ送信機器１０において、Ｓ倍速伝送モードの出力装置を実現する際の一構成例を示すブロック図である。
【００４６】
同様に同図中、図３および図４と同様の手段は同番号を付し説明を省略する。入力端1001に供給するのはメモリ手段（図示せず）で時間スケーリングすなわち時間軸で圧縮伸長したＳ倍速信号（Ｓ＞１の実数）である。本来のオリジナルｆｓ情報を取り出しシステム制御部1007へ供給する。Ｓ倍速信号はそのまま伝送ｆｓ信号として、ＩＥＣ９５８出力手段1006に供給する。伝送ｆｓ情報、オリジナルｆｓ情報および伝送モード情報を付加してＩＥＣ９５８出力手段1006より音楽データ伝送インタフェース２０に信号を供給する。
【００４７】
以上説明したように、各種の伝送モードでそれぞれの出力装置から音楽データ伝送インタフェース２０へ信号が供給される。
【００４８】
なお、図３〜図５に示した構成の少なくとも１以上の機能をまとめて、音楽データ送信機器１０が構成されることは言うまでもない。
【００４９】
図６は音楽データ受信機器３０の一構成例であり、ここでは、Ｒ回繰り返し伝送モードの受信装置の構成を示すブロック図である。
【００５０】
同図中、3001は音楽データ伝送インタフェース２０の信号を受けて入力する端子である。この受信装置は説明のため、特化したデータに専用のものにしている。音楽データ伝送インタフェース２０で伝送されるのは、ｆｓが１２kHzの４回繰り返し伝送信号である。オリジナルｆｓ情報は”１０１１”（１２kHz）、伝送ｆｓ情報は”０１００”（４８kHz）とする。伝送ｆｓは４８kHzになるのでクロック再生ＰＬＬ3002は、４８kHzにキャプチャしてロックできるものである。データストローブ3003において、入力信号をクロック再生ＰＬＬ3002で再生したクロックでストローブしてバイフェーズマークデータを抽出する。
【００５１】
ＩＥＣ９５８デコーダ手段3004でデコード処理して、それぞれ伝送ｆｓ信号、伝送ｆｓ情報、オリジナルｆｓ情報および伝送モード情報を取り出す。システム制御部3007は、これらの情報からデシメーション手段3005へ間引きのパラメータ3028を供給する。伝送ｆｓ情報とオリジナルｆｓ情報の関係から１／４に間引くよう設定される。４８kHzの伝送ｆｓ信号は、デシメーション手段3005で１／４に間引かれたデータとして取り出され、１２kHzのオリジナルｆｓ信号として出力手段3006へ供給する。出力端子４０からオリジナルｆｓ信号として取り出される。
【００５２】
一方、一致検出手段3009は、伝送モード情報とオリジナルｆｓ情報との一致検出を行ってシステム制御部3007に判定結果を供給する。システム制御部3007は、伝送ｆｓ情報およびまたはオリジナルｆｓ情報およびまたは伝送モード情報を表示手段（図示せず）に表示する。また、一致検出手段3009の結果を表示あるいは、アラーム音などで操作者に伝える。これにより、伝送モード情報が欠落した場合であっても一致検出手段3009の結果から、伝送ｆｓ情報がオリジナルｆｓ情報とは異なることを表示でき、必要な受信側の処理を行うための操作者へのアラーム表示などが可能となる。もちろん伝送モード情報を全く使用しない規格やシステムであっても有用である。
【００５３】
また、3009は、伝送ｆｓ情報とオリジナルｆｓ情報との一致検出手段である。この例では不一致の判定出力データを得る。伝送モード情報が”１０”Ｒ回繰り返し伝送モードであるので、符合する。何らかの理由により伝送データに誤りがあると、一致検出手段3009の結果と伝送モード情報とが符合しない場合が起こり得る。この場合には、一致検出手段3009の情報を優先的に採用するのが信頼度が高いので好都合である。なお、一致検出手段3009はオリジナルｆｓ情報が非表示の場合は、常に一致したと同じ判定出力を得る。
【００５４】
このようにして１２kHzのオリジナルｆｓ信号が４８kHz用のクロック再生ＰＬＬ3002を共通化してデコード処理できるので、１２kHz専用にＰＬＬを備える必要がなくなり、あるいは極度に広いキャプチャレンジを持たせる必要がなくなり、回路を合理化できるだけでなく、比較的狭いキャプチャレンジとすることによるジッタ性能向上や疑似ロック回避性能の向上など、高性能化と高安定化に大きく寄与できる。
【００５５】
なお、図６では、Ｒ繰り返し伝送モードの受信装置を示し説明したが、他のモード（ｆｓ変換モードやＳ倍速伝送モード）においても、送信側の逆処理を備えることで、同様に実現可能なことは言うまでもなく、さらに、各種モードに対応するように、複数機能を備えて実現しても良い。
【００５６】
また、以上の説明においては、装置としてブロック図を示して説明したが、これらの手段を、コンピュータやＤＳＰ（ディジタル・シグナル・プロセッサ）等の資源を利用するソフトウェアの工程として実現可能なことは言うまでもない。
【００５７】
また、本発明の実施の形態では、ＩＥＣ９５８を用いて説明したが、論理的なシステムはＩＥＥＥ１３９４においても同様であり、全く同様の作用と効果を発揮できる。その他、ＵＳＢ（ユニバーサル・シリアル・バス）やその拡張規格であるＵＳＢ２を始め、適用できる全てのインタフェースにおいて、作用効果を生むものである。
【００５８】
【発明の効果】
以上のように本発明によれば、音楽データ送信器側で、伝送する音楽データに、オリジナル音楽サンプリング周波数情報と伝送ｆｓ情報を付加して伝送するので、ｆｓ変換処理の元の情報を受信装置で知ることが出来、表示出来るだけでなく、再生あるいは録音蓄積の適切な処理を自動的に行うことができるようになる。伝送モード情報は、より詳細に処理の内容を伝達できる。また、Ｒ回繰り返し伝送では、受信装置においてＰＬＬの共通化と高性能化が実現できるなど、経済的にもすぐれたものである。同時にネットワークやＰＣ（パーソナルコンピュータ）におけるマルチメディアの伝送に適合するものである。
【図面の簡単な説明】
【図１】本発明の実施の形態による音楽データ情報伝送装置の機器接続例を示すブロック図
【図２】ＩＥＣ９５８チャンネルステータスにおけるオリジナルｆｓ情報と伝送モード情報の構造を示す図
【図３】本発明の実施の形態による音楽データ情報伝送装置の送信側としてｆｓ変換伝送モードの出力装置を実現する際の一構成例を示すブロック図
【図４】同音楽データ情報伝送装置の送信側としてＲ回繰り返し伝送モードの出力装置を実現する際の一構成例を示すブロック図
【図５】同音楽データ情報送信装置の送信側としてＳ倍速伝送モードの出力装置を実現する際の一構成例を示すブロック図
【図６】同音楽データ情報送信装置の受信側としてＲ回繰り返し伝送モードの受信装置を実現する際の一構成例を示すブロック図
【図７】従来のＩＥＣ９５８チャンネルステータスの構造を示す図
【符号の説明】
１０  音楽データ伝送機器
２０  音楽データ伝送インタフェース
３０  音楽データ受信機器
【図１】
0003954762.tif 000012
【図２】
0003954762.tif 000013
【図３】
0003954762.tif 000014
【図４】
0003954762.tif 000015
【図５】
0003954762.tif 000016
【図６】
0003954762.tif 000017
【図７】
0003954762.tif 000018